(57)【特許請求の範囲】
【請求項１】
壁面に取付けられた機器の外側面と、これの下端側の接続口から導出された配管を覆う保護カバーの端面との間の隙間を覆う隙間カバーであって、
前記保護カバーの端部に対して外嵌装着可能な取付け部と、該取付け部に連設され、かつ、前記隙間を閉止する状態で機器の外側面に添設可能な軟質カバー部とから構成され、
前記取付け部が、両側壁部と天井壁部とからなる断面コの字状に構成され、
前記軟質カバー部のうち、前記取付け部の両側壁部に連設された両側のカバー部分が、取付け部の両側壁部の外面部に沿う姿勢で突出形成されているとともに、軟質カバー部のうち、取付け部の天井壁部に連設された中央のカバー部分が、取付け部の天井壁部の外面部に対して交差する方向に突出形成されている配管用隙間カバー。
【請求項２】
壁面に取付けられた機器の外側面と、これの下端側の接続口から導出された配管を覆う保護カバーの端面との間の隙間を覆う隙間カバーであって、
前記保護カバーの端部に対して外嵌装着可能な取付け部と、該取付け部に連設され、かつ、前記隙間を閉止する状態で機器の外側面に添設可能な軟質カバー部とから構成され、
前記取付け部と軟質カバー部とが軟質素材で一体成形されていると共に、前記取付け部には、保護カバーの端部に対して弾性挾持状態で外嵌可能なコの字状又はそれに近い形状の芯金が付設されている配管用隙間カバー。
【請求項３】
芯金には、成形時に取付け部内の所定位置に芯金を埋設するための金型に対する位置決め突起が設けられている請求項２記載の配管用隙間カバー。
【請求項４】
壁面に取付けられた機器の外側面と、これの下端側の接続口から導出された配管を覆う保護カバーの端面との間の隙間を覆う隙間カバーであって、
前記保護カバーの端部に対して外嵌装着可能な取付け部と、該取付け部に連設され、かつ、前記隙間を閉止する状態で機器の外側面に添設可能な軟質カバー部とから構成され、
前記取付け部が、両側壁部と天井壁部とからなる断面コの字状に構成され、
前記軟質カバー部のうち、前記取付け部の天井壁部に連設された中央のカバー部分が、取付け部の天井壁部の外面部に対して交差する方向に突出形成され、且つ、先端に行く程に前記取付け部に対する前記軟質カバー部の連設方向で取付け部から離れる前傾姿勢に形成されている配管用隙間カバー。
【請求項５】
前記取付け部及び軟質カバー部の特定箇所には、機器の外側面及び保護カバーの外側面に接着可能な粘着層が形成されている請求項１〜４のいずれか１項に記載の配管用隙間カバー。
【発明の詳細な説明】
【０００１】
【発明の属する技術分野】
本発明は、空調機等の機器と、この機器に至る配管の保護カバーとの当接部分の隙間を閉止するための配管用隙間カバーに関する。
【０００２】
【従来の技術】
近年、空調機において、室外機と室内機とを接続する配管は、配管自体の保護や保守点検が容易になる等から配管部分を開閉可能なダクト形態の保護カバーで覆う施工が主流となりつつある。
この種の施工において、壁面に取付けられた室内空調機の外側面と、これの下端側の接続口から導出された配管を覆う保護カバーの端面とは共にフラットな面同士である場合においては、両者の当接間には隙間がなく、当接部分からほこりなどが入ることはなかった。
近時、空調機のデザインの多様化等によって、機器の外面が曲面形状になっているものが多くなってきている。その結果、配管の接続口部分が曲面形状に沿って形成されているものも多く存在するようになっている。
【０００３】
【発明が解決しようとする課題】
ところが、この種の外側面を有するものにおいては、図１２に示すように、壁面Ｋに取付けられた機器Ｂの湾曲する外側面Ｂ１と、これの下端側の接続口Ｂ２から導出された配管Ｃを覆う保護カバー１の端面１Ａとの間に、湾曲部分に対応する部分に隙間Ｓが生じてしまうので、長期の使用の間に保護カバー１内にほこりなどの堆積が生じる等の問題がある。
そのため、このような隙間Ｓが存在する場合、隙間部分にパテ材を埋め込んだり、施工現場において、機器の外側面の湾曲に対応する形状に、保護カバーの当接端部を加工したりして、両者間に隙間が生じないように、作業者が現状に合わせた付加作業を行って対処することも行われているが、反面、施工手間も増えることにもなり、作業の合理化の観点から解決すべき課題にもなっている。
【０００４】
本発明は、上述の実状に鑑みて為されたものであって、その主たる課題は、壁面に取付けられた機器の外側面と、これの下端側の接続口から導出された配管を覆う保護カバーの端面との間の隙間を、簡単に閉止することができる隙間カバーを提供する点にある。
【０００５】
【課題を解決するための手段】
壁面に取付けられた機器の外側面と、これの下端側の接続口から導出された配管を覆う保護カバーの端面との間の隙間を覆う隙間カバーであって、前記保護カバーの端部に対して外嵌装着可能な取付け部と、該取付け部に連設され、かつ、前記隙間を閉止する状態で機器の外側面に添設可能な軟質カバー部とから構成されていてもよい。
【０００６】
上記構成によれば、機器の外側面が湾曲する形状であっても、その形状に軟質性カバー部を添設することができるので、機器と保護カバーの端部との隙間を確実に閉止することができる。ここで、軟質性カバー部には、接着剤等を塗布したり、予めに、接着層を設けたりして、軟質性カバー部を確実に機器の外側面に添設するようにするのが好ましい。
また、保護カバーに対する取付け部を有するので、保護カバーへの取付けを簡単に行なうことができるので、施工作業性がよい。
そのため、従来、機器の外側面が湾曲形成されているような場合、隙間部分にパテ材を埋め込んだり、施工現場において、機器の外側面の湾曲に対応する形状に、保護カバーの当接端部を加工したりして、両者間に隙間が生じないように行なっていた付加作業をなくすことができ、従来施工に比べて、作業負担の軽減と施工作業性の向上を図ることができる。
【０００７】
本発明の請求項１による配管用隙間カバーの特徴構成は、壁面に取付けられた機器の外側面と、これの下端側の接続口から導出された配管を覆う保護カバーの端面との間の隙間を覆う隙間カバーであって、前記保護カバーの端部に対して外嵌装着可能な取付け部と、該取付け部に連設され、かつ、前記隙間を閉止する状態で機器の外側面に添設可能な軟質カバー部とから構成され、前記取付け部が、両側壁部と天井壁部とからなる断面コの字状に構成され、前記軟質カバー部のうち、前記取付け部の両側壁部に連設された両側のカバー部分が、取付け部の両側壁部の外面部に沿う姿勢で突出形成されているとともに、軟質カバー部のうち、取付け部の天井壁部に連設された中央のカバー部分が、取付け部の天井壁部の外面部に対して交差する方向に突出形成されている点にある。
本発明の請求項２による配管用隙間カバーの特徴構成は、壁面に取付けられた機器の外側面と、これの下端側の接続口から導出された配管を覆う保護カバーの端面との間の隙間を覆う隙間カバーであって、前記保護カバーの端部に対して外嵌装着可能な取付け部と、該取付け部に連設され、かつ、前記隙間を閉止する状態で機器の外側面に添設可能な軟質カバー部とから構成され、前記取付け部と軟質カバー部とが軟質素材で一体成形されていると共に、前記取付け部には、保護カバーの端部に対して弾性挾持状態で外嵌可能なコの字状又はそれに近い形状の芯金が付設されている点にある。
【０００８】
上記特徴構成によれば、取付け部と軟質カバー部とが軟質素材から構成されているので、機器の外側面、及び、保護カバーに対して添設が容易であるけれども、軟質であるために外れやすい傾向のある点を、芯金によって弾性挟持状態に保護カバーを外嵌することによって、取付け易く隙間の閉止効果の高い配管用隙間カバーを形成することができる。
【０００９】
また、前記軟質カバー部のうち、左右両側のカバー部分が、保護カバーの左右両外側面に沿う姿勢で突出形成されているとともに、中央のカバー部分が、保護カバーの天板上面に対して交差する方向に突出形成されていてもよい。
【００１０】
上記構成によれば、配管用隙間カバーの中央のカバー部分は、機器の外側面と対向する姿勢になっているので、そのままの姿勢で機器の外側面に添設する状態にすることができ、配管用隙間カバーの左右両側のカバー部分は、機器の外側面と交差する姿勢になっているので、機器の外側面にカバー部分自体の弾性復元力に抗して折り曲げ変形することによって、カバー部分を機器の外側面の形状に沿って圧接する状態に添設することができるので、壁面に取付けられた機器の外側面と、これの下端側の接続口から導出された配管を覆う保護カバーの端面との間の隙間を簡単に覆うことができるので、施工性の向上を図ることができる。
しかも、壁面に取付けられた機器の下端側外側面の接続口部分が湾曲形成されている場合、下端側の接続口が機器の左下にある場合には、湾曲部分に対応する配管用隙間カバーの左側のカバー部分側が、又は、下端の接続口が機器の右下にある場合には、湾曲部分に対応する配管用隙間カバーの右側のカバー部分が、機器の外側面の湾曲形状に沿って圧接する状態で添設することができる。
【００１１】
本発明の請求項３による配管用隙間カバーの特徴構成は、芯金には、成形時に取付け部内の所定位置に芯金を埋設するための金型に対する位置決め突起が設けられている点にある。
【００１２】
上記特徴構成によれば、配管用隙間カバーには芯金の位置決め突起が埋設状態で成型されているので、取付け部と芯金とが一体化されているので、保護カバーの端部に対して長期に亘って外嵌可能となるので、信頼性の高い配管用隙間カバーを形成することができる。
【００１３】
本発明の請求項４による配管用隙間カバーの特徴構成は、壁面に取付けられた機器の外側面と、これの下端側の接続口から導出された配管を覆う保護カバーの端面との間の隙間を覆う隙間カバーであって、前記保護カバーの端部に対して外嵌装着可能な取付け部と、該取付け部に連設され、かつ、前記隙間を閉止する状態で機器の外側面に添設可能な軟質カバー部とから構成され、前記取付け部が、両側壁部と天井壁部とからなる断面コの字状に構成され、前記軟質カバー部のうち、前記取付け部の天井壁部に連設された中央のカバー部分が、取付け部の天井壁部の外面部に対して交差する方向に突出形成され、且つ、先端に行く程に先端に行く程に前記取付け部に対する前記軟質カバー部の連設方向で取付け部から離れる前傾姿勢に形成されている点にある。
【００１４】
上記特徴構成によれば、機器の外側面に近接する程、中央のカバー部分が自らの弾性力によって、添設姿勢のまま外側面に圧接状態となるので、添設する部分の外側面が湾曲形状であっても、確実にその形状に対応して添設することができる。
【００１５】
本発明の請求項５による配管用隙間カバーの特徴構成は、前記取付け部及び軟質カバー部の特定箇所には、機器の外側面及び保護カバーの外側面に接着可能な粘着層が形成されている点にある。
【００１６】
上記特徴構成によれば、機器の外側面及び保護カバーの外側面に対して、取付け部及び軟質カバー部が確実に添設状態にすることができ、隙間の閉止効果を高めることができるので、配管用隙間カバーとしての信頼性の向上を図ることができる。
【００１７】
【発明の実施の形態】
〔実施形態〕
以下、本発明の実施形態の配管用隙間カバーＡを図面に基づいて説明する。
図１〜図８に示すように、空調機において、壁面Ｋに取付けられた室内空調機器Ｂの下端側の接続口Ｂ２に接続された配管Ｃは、配管直管部分の保護カバー１，配管９０度折り曲げ部分の屈曲部保護カバー２、配管を壁貫通孔に案内する配管取り出しカバー３等を介して室外に導出して、図示しないが同様な保護カバー等のダクト構成を介して室外機に接続される。この実施例の配管Ｃは、往復の一対の冷媒用断熱配管Ｃａ，Ｃｂ、ドレン配管Ｃｃ、制御ケーブル等Ｃｄから構成されている。
【００１８】
この実施形態の配管用隙間カバーＡは、壁面Ｋに取付けられた機器（室内機）Ｂの外側面Ｂ１と、これの下端側の接続口Ｂ２から導出された配管Ｃを覆う保護カバー１の端面１Ａとの間の隙間Ｓを覆うものであり、保護カバー１の端部１ＡＡに対して外嵌装着可能な取付け部Ａ１と、該取付け部Ａ１に連設され、かつ、前記隙間Ｓを閉止する状態で機器Ｂの外側面Ｂ１に添設可能な軟質カバー部Ａ２とから構成されている。
【００１９】
前記保護カバー１は、壁面Ｋに設置される底板１Ｂに対して、コ−ナー部分を面取り形状に形成する断面コの字状の蓋カバー１Ｃを係脱自在に構成されている。
【００２０】
詳しくは、図３に示すように、底板１Ｂの長手方向に沿う両側部には、壁面Ｋから離れる方向に相対向する一対の係止爪１Ｄ，１Ｄが形成され、これに対応する蓋カバー１Ｃの両側内面には、一対の係止受け１Ｅ，１Ｅが形成され、底板１Ｂに対して蓋カバー１Ｃを、係止爪１Ｄ，１Ｄの弾圧付勢力に抗して押し付けることによって、底板１Ｂの係止爪１Ｄ，１Ｄに対して蓋カバー１Ｃの係止受け１Ｅ，１Ｅが係合状態になり、反対に、係止爪１Ｄ，１Ｄを弾性変形させるように、底板１Ｂから蓋カバー１Ｃを引き戻すように引張ることによって、底板１Ｂの係止爪１Ｄ，１Ｄに対して蓋カバー１Ｃの係止受け１Ｅ，１Ｅが非係合状態になるように構成されている。
【００２１】
前記配管用隙間カバーＡの取付け部Ａ１は、前記保護カバー１の蓋カバー１Ｃの断面形状に対応する形状に形成され、つまり、コーナー部分を面取り形態にした断面コの字状に形成され、保護カバー１に取付けた状態では、保護カバー１との間には隙間が生じないようになっている。
【００２２】
前記取付け部Ａ１と軟質カバー部Ａ２とは、軟質ゴム材や軟質合成樹脂材等の軟質素材で一体成形されていると共に、取付け部Ａ１には、保護カバー１の端部１ＡＡに対して弾性挾持状態で外嵌可能な芯金１０が付設されている。この芯金１０は、金属板を加工して形成されたものであり、図５に示すように、配管用隙間カバーＡの取付け部Ａ１の断面形状に対応するコの字状又はそれに近い形状に形成されているとともに、芯金１０には、成形時に取付け部内の所定位置に芯金１０を埋設するための金型に対する位置決め突起１０Ａが設けられ、成型時に取付け部と確実に一体化される構成になっている。また、芯金１０の位置決め突起１０Ａには、長手方向に沿って貫通孔１０Ｂ…がほぼ等間隔で穿設され、成型に際しての取付け部との一体化をより強固にする工夫がなされている。
【００２３】
配管用隙間カバーＡの軟質カバー部Ａ２のうち、図５〜図７に示すように、左右両側のカバー部分Ａ２ａ，Ａ２ｂは、保護カバー１の左右外側面１ａ，１ｂに沿う姿勢で取付け部Ａ１の左右側面部（つまり、左右の両側壁部の外面部）Ａ１ａ，Ａ１ｂから各別に突出形成され、一方、中央のカバー部分Ａ２ｃは、保護カバー１の天板上面１ｃに対して交差する方向に取付け部Ａ１の上面部（つまり、天井壁部の外面部）Ａ１ｃから突出形成されているとともに、先端に行く程に突出傾斜する前傾姿勢（つまり、先端に行く程に取付け部Ａ１に対する軟質カバー部Ａ２の連設方向で取付け部Ａ１から離れる前傾姿勢）に形成されている。
【００２４】
また、取付け部Ａ１の３辺Ａ１ａ，Ａ１ｂ，Ａ１ｃのうちの上面Ａ１ｃ内面には、保護カバー１の蓋カバー１Ｃに接着可能に長方形状の粘着層１１が形成されているとともに、軟質カバー部Ａ２の内面箇所には、機器Ｂの外側面Ｂ１に接着可能な粘着層１２…が形成され、各粘着層１１，１２…には、剥離紙１１ａ，１２ａが設けられており、使用する段階で剥離紙１１ａ，１２ａを外して使用することが可能になっている。粘着層１１，１２の組成としては、例えば、ブチルゴム系や、アクリル樹脂系の粘着材が用いられている。ここで、図１における配管用隙間カバーＡは横倒し状態で図示され、左右両側のカバー部分Ａ２ａ，Ａ２ｂは上下面として図示されている。同様に保護カバー１の左右側面１ａ，１ｂにおいても、図面上では上下側面として図示されている。
【００２５】
このような構成にすることによって、図１（イ）、図２（イ）に示すように、機器Ｂの右側面下部に形成されている、接続口Ｂ２から導出された配管Ｃを覆う保護カバ１ーの端面１Ａに対して、横倒し状態で配管用隙間カバーＡの取付け部Ａ１を外嵌装着する。
【００２６】
この取付け操作に際して、例えば、予め、配管用隙間カバーＡにおける取付け部Ａ１の粘着層１１…の剥離紙１１ａを剥がしておき、取付け部Ａ１の芯金１０の開口側を開き気味に保護カバーを外嵌しながら機器Ｂ側に移動させて、配管用隙間カバーＡの右側のカバー部分Ａ２ｂ、及び、中央のカバー部分Ａ２ｃを、機器Ｂの外側面Ｂ１に添設する状態にするとともに、配管用隙間カバーＡの左側（図１では下側に図示）のカバー部分Ａ２ａを、機器Ｂの外側面Ｂ１にカバー部分Ａ２ａ自体の弾性復元力に抗して折り曲げ変形させながら、左側のカバー部分Ａ２ａを湾曲状の外側面Ｂ１に沿って添設する状態にする。
【００２７】
この状態で、開き状態にしていた取付け部Ａ１の芯金１０を開き操作を止めて、保護カバー１の端部１ＡＡに取付け部Ａ１を外嵌状態にする。
【００２８】
次いで、配管用隙間カバーＡの左右側のカバー部分Ａ２ａ，Ａ２ｂ、及び、中央のカバー部分Ａ２ｃに夫々形成された接着層１２…の剥離紙１２ａを、各部分Ａ２ａ，Ａ２ｂ，Ａ２ｃをめくりながら剥がして、各部分Ａ２ａ，Ａ２ｂ，Ａ２ｃを機器Ｂの外側面Ｂ１に貼着する。この状態で、配管用隙間カバーＡが、壁面Ｋに取付けられた機器Ｂの外側面Ｂ１と、これの下端側の接続口Ｂ２から導出された配管Ｃを覆う保護カバー１の端面１Ａとに確実に接着する状態になるとともに、両者Ｂ，１Ａの間の隙間Ｓを覆って、図１（ロ）、図２（ロ）、図３、図４に示すように、隙間Ｓを閉止することができる。
【００２９】
〔その他の実施形態〕
１）  上記実施形態では、配管用隙間カバーＡの中央のカバー部分Ａ２ｃが、保護カバー１の天板上面１ｃに対して交差する方向に突出形成されているとともに、先端に行く程に突出傾斜する前傾姿勢に形成されている配管用隙間カバーＡについて説明したが、本発明はこれに限らず、図９に示すように、中央のカバー部分Ａ２ｃが、保護カバー１の天板上面１c に対して直角に交差する方向に突出形成されているものであってもよい。
この場合、機器Ｂの外側面Ｂ１に中央のカバー部分Ａ２ｃが圧接状態になることはないが、中央のカバー部分Ａ２ｃに対応する機器Ｂの外側面Ｂ１が平坦面であったり、中央のカバー部分Ａ２ｃに接着層１２が設けられたりしている場合、外側面Ｂ１に添設するには十分である。
また、同図に示すように、取付け部Ａ１に芯金１０を設けない構造の管用隙間カバーＡであってもよい。
【００３０】
２）  上記実施形態では、取付け部Ａ１や軟質カバー部Ａ２に、保護カバー、１及び、機器Ｂの外側面Ｂ１に接着可能にする接着層１１…，１２…を設けた例について説明したが、本発明はこれに限らず、このような接着層１１…，１２…を設けない構成であってもよい。
この場合、取付け部Ａ１の芯金１０によって、保護カバー１の端部１ＡＡに対して配管用隙間カバーＡを弾性挾持状態での外嵌が可能であり、配管用隙間カバーＡの左右側のカバー部分Ａ２ａ，Ａ２ｂ、及び、中央のカバー部分Ａ２ｃを、機器Ｂの外側面Ｂ１に対して各カバー部分Ａ２ａ，Ａ２ｂ、Ａ２ｃを自らの弾性復元力に抗して折り曲げ変形させながら、各カバー部分Ａ２ａ，Ａ２ｂ、Ａ２ｃを機器Ｂの外側面Ｂ１に沿って添設する状態にすることが可能である。
【００３１】
３）  上記実施形態における配管用隙間カバーＡは、コーナー部が面取りされた保護カバー１の蓋カバー１Ｃの形態に対応する形態に取付け部Ａ１が形成されているものについて説明したが、本発明はこれに限らず、例えば、図１０に示すように、底板１Ｂ、及び、蓋カバー１Ｂのコーナー部が湾曲状になっている保護カバー１が用いられている場合、蓋カバー１Ｃの湾曲形態の対応する形態に取付け部Ａ１のコーナー部が湾曲形成された配管用隙間カバーＡを施工に使用すると言うように、形態の異なる保護カバー１に対応する配管用隙間カバーＡを商品化して、多様に選択することができる商品体系を構成してもよい。図１０に示す配管用隙間カバーＡにおいては、取付け状態で、壁面Ｋに取付けられた機器Ｂの外側面Ｂ１と、これの下端側の接続口から導出された配管Ｃを覆う保護カバー１の端面１Ａとの間の隙間Ｂは閉止しているが、取付け部Ａ１の左右側面部Ａ１ａ，Ａ１ｂと底板１Ｂの湾曲形態のコーナー部分との間に隙間が生じるので、取付け部Ａ１の左右側面部Ａ１ａ，Ａ１ｂの先端部分に、略三角状の隙間隠し（二点鎖線図示）Ａ１ｄ，Ａ１ｅを設けて隙間を覆う構成にしたり、取付け部Ａ１の左右側面部Ａ１ａ，Ａ１ｂを底板１Ｂの湾曲形態のコーナー部分に沿う湾曲形状に形成して、始めから隙間を生じない構成にしたりしてもよい。
【００３２】
４）  上記実施形態では、配管用隙間カバーＡの軟質カバー部Ａ２のうち、左右両側のカバー部分Ａ２ａ，Ａ２ｂは、保護カバー１の左右両外側面１ａ，１ｂに沿う姿勢に対応して、取付け部Ａ１の左右側面部Ａ１ａ，Ａ１ｂから各別に突出形成され、一方、中央のカバー部分Ａ２ｃは、保護カバー１の天板上面１ｃに対して交差する方向に取付け部Ａ１の上面部Ａ１ｃから突出形成されているものについて説明したが、これに限らず、図１１に示すように、軟質カバー部Ａ２を構成する、左右両側のカバー部分Ａ２ａ，Ａ２ｂ、及び、中央のカバー部分Ａ２ｃが、取付け部Ａ１の左右側面部Ａ１ａ，Ａ１ｂ、及び、上面部Ａ１ｃに対して交差する方向に突出形成されているものであってもよい。
この場合、軟質カバー部Ａ２を構成する、左右両側のカバー部分Ａ２ａ，Ａ２ｂ、及び、中央のカバー部分Ａ２ｃに接着層１１…，１２…を形成したり、施工時に接着剤を塗布したりすることによって接着することによって、湾曲形状の機器Ｂの外側面Ｂ１に確実に添設することが可能である。
【図面の簡単な説明】
【図１】本発明の配管用隙間カバーと、壁面に取付けられた機器の外側面と、これの下端側の接続口から導出された配管との関係を示す簡略斜視図
（イ）は機器の外側面と保護カバーの端面との間に取付けようとする分解状態を示す簡略斜視図
（ロ）は機器の外側面と保護カバーの端面との間に取付けた状態を示す簡略斜視図
【図２】配管用隙間カバーの取付け状況を示す要部正面図
（イ）は配管用隙間カバーを取付ける前の状態を示す要部正面図
（ロ）は配管用隙間カバーを取付けた状態を示す要部正面図
【図３】配管用隙間カバーを取付けた状態を示す要部右側断面図
【図４】配管用隙間カバーを取付けた状態を示す要部底面図
【図５】配管用隙間カバーを軟質カバー部側から示す斜視図
【図６】配管用隙間カバーを取付け部側から示す斜視図
【図７】配管用隙間カバーの縦断面図
【図８】配管用隙間カバーにおける芯金を透視状態で示す斜視図
【図９】本発明の別実施形態を示す要部拡大断面図
【図１０】異なる保護カバーと、これに対応する配管用隙間カバーとの関係を示す説明図
【図１１】本発明を適用した別の実施形態の配管用隙間カバーを示す斜視図
【図１２】従来の壁面に取付けられた機器の外側面と、これの下端側の接続口から導出された配管との関係を示す簡略正面図
【符号の説明】
Ａ                配管用隙間カバー
Ａ１              取付け部
Ａ２              軟質カバー部
Ａ２ａ            左側のカバー部分
Ａ２ｂ            右側のカバー部分
Ｂ                機器
Ｂ１              外側面
Ｋ                壁面
Ｓ                隙間
１                保護カバー
１Ａ              端面
１ＡＡ            端部
１０              芯金
１０Ａ            位置決め突起
１１              粘着層
１２              粘着層
【図１】
0004671558.tif 000002
【図２】
0004671558.tif 000003
【図３】
0004671558.tif 000004
【図４】
0004671558.tif 000005
【図５】
0004671558.tif 000006
【図６】
0004671558.tif 000007
【図７】
0004671558.tif 000008
【図８】
0004671558.tif 000009
【図９】
0004671558.tif 000010
【図１０】
0004671558.tif 000011
【図１１】
0004671558.tif 000012
【図１２】
0004671558.tif 000013